(57)【要約】【課題】カルプレートを用いて樹脂封止を行い、永久磁石と磁石挿入孔の隙間が狭い場合、磁石挿入孔の幅方向中間位置に樹脂注入孔が形成されていない場合であっても、永久磁石を半径方向外側又は内側に寄せることが可能な積層鉄心の樹脂封止方法を提供する。【解決手段】鉄心本体１５のそれぞれの磁石挿入孔１８に永久磁石２４を装入した後、鉄心本体１５を上型１１と下型１２とで積層方向に押圧し、上型１１又は下型１２に設けられた樹脂溜め部１７から、取外し可能なカルプレート１４に形成されたランナー１９を介して磁石挿入孔１８に樹脂２９を充填して、永久磁石２４を固定する積層鉄心の樹脂封止方法において、ランナー１９の端部には、一つの磁石挿入孔１８につき複数の樹脂注入孔３３、３４を有し、注入された樹脂２９によって、磁石挿入孔１８に配置された永久磁石２４を、磁石挿入孔１８の半径方向一側に寄せる。【選択図】図１
2014082807.tif 000002
【特許請求の範囲】
【請求項１】
複数の鉄心片を積層して形成され、周囲に複数の磁石挿入孔を有する鉄心本体のそれぞれの前記磁石挿入孔に永久磁石を装入した後、前記鉄心本体を上型と下型とで積層方向に押圧し、前記上型又は前記下型に設けられた樹脂溜め部から、取外し可能なカルプレートに形成されたランナーを介して前記磁石挿入孔に樹脂を充填して、前記永久磁石を固定する積層鉄心の樹脂封止方法において、
前記ランナーの端部には、一つの前記磁石挿入孔につき複数の樹脂注入孔を有し、注入された前記樹脂によって、前記磁石挿入孔に配置された前記永久磁石を、前記磁石挿入孔の半径方向一側に寄せることを特徴とする積層鉄心の樹脂封止方法。
【請求項２】
請求項１記載の積層鉄心の樹脂封止方法において、前記ランナーの終端部には前記カルプレートを上下に抜ける貫通路が設けられ、該貫通路と前記磁石挿入孔との共通部分で前記樹脂注入孔を形成していることを特徴とする積層鉄心の樹脂封止方法。
【請求項３】
請求項１又は２記載の積層鉄心の樹脂封止方法において、前記複数の樹脂注入孔は、断面長方形の前記永久磁石の長辺側壁面に沿って形成されていることを特徴とする積層鉄心の樹脂封止方法。
【請求項４】
請求項１〜３のいずれか１項に記載の積層鉄心の樹脂封止方法において、前記複数の樹脂注入孔は前記磁石挿入孔の半径方向内側又は半径方向外側に形成されていることを特徴とする積層鉄心の樹脂封止方法。
【請求項５】
請求項１〜４のいずれか１項に記載の積層鉄心の樹脂封止方法において、前記各樹脂注入孔の断面積は等しくなっていることを特徴とする積層鉄心の樹脂封止方法。
【請求項６】
請求項１〜４のいずれか１項に記載の積層鉄心の樹脂封止方法において、前記各樹脂注入孔の断面積は異なっていることを特徴とする積層鉄心の樹脂封止方法。
【発明の詳細な説明】
【技術分野】
【０００１】
本発明は、鉄心片を複数枚積層して形成され、永久磁石（未磁化を含む）がそれぞれ挿入された磁石挿入孔に樹脂を封入する積層鉄心の樹脂封止方法に関する。
【背景技術】
【０００２】
従来、積層鉄心の樹脂封止にあっては、上型又は下型に樹脂溜め部を設け、樹脂溜め部内の樹脂を加熱して、プランジャで押し出し、積層鉄心に形成された磁石挿入孔に樹脂を注入する方法が提案されている。また、樹脂注入後、積層鉄心の表面に残った樹脂カルの除去を容易にするため、積層鉄心表面に、ランナー（樹脂流路）、ゲート孔を形成したカルプレートを配置し、このカルプレートを介して磁石挿入孔に樹脂の注入を行うことが特許文献１に記載されている。
【０００３】
また、磁石挿入孔に挿入された永久磁石をコア（積層鉄心）の半径方向外側又は半径方向内側のいずれか一方に寄せて積層鉄心を形成する場合もあり、永久磁石を磁石挿入孔の外側に寄せることで、騒音、損失、更には振動を低減したモータを製造でき、永久磁石を磁石挿入孔の内側に寄せることで永久磁石の破損を防止できるという利点がある（特許文献２参照）。
【先行技術文献】
【特許文献】
【０００４】
【特許文献１】特開２００８−０５４３７６号公報
【特許文献２】特開２００６−２３８５８４号公報（図１５、図１９）
【発明の概要】
【発明が解決しようとする課題】
【０００５】
しかしながら、図５に示すように、永久磁石６０を入れる磁石挿入孔６１の内側中央から、カルプレートを用いて又はカルプレートを用いないで、樹脂を注入する場合は、安定して樹脂注入を行うことが可能である。特に、積層鉄心６２自体に磁石挿入孔６１の中央で内側又は外側に位置する樹脂注入孔６３を設けている場合は、永久磁石６０は磁石挿入孔６１の外側又は内側に寄せられ易い。
【０００６】
しかしながら、図６（Ａ）に示すように、積層鉄心６５の設計上の問題で、樹脂注入孔６６が磁石挿入孔６７の幅方向中心位置から外れて形成されると、永久磁石６８を均等に樹脂で覆うことができず、磁石挿入孔６７に対して永久磁石６８が傾いて固定される場合があるという問題があった。
【０００７】
また、図６（Ｂ）に示すように、積層鉄心７０の磁石挿入孔７１の幅方向中間位置に樹脂注入孔が形成されていない場合、永久磁石７２の中心位置の１箇所から樹脂を流し込んでも、永久磁石７２の壁面と磁石挿入孔７１の隙間が狭いと、樹脂の均等流れが妨げられ、未充填が発生することがある。そのため、磁石挿入孔７１と永久磁石７２の隙間が大きい角部７３、７４から樹脂を注入することも提案されている（特許文献２参照）が、この場合も積層鉄心６５において発生する問題と同様、永久磁石７２の壁面中央を中心に樹脂が流れているわけではないので、永久磁石７２の壁面が磁石挿入孔７１の壁面に対して傾いて形成されるという問題が生じた。これらの問題は、特に一つの磁石挿入孔に複数の永久磁石を入れているものに多く発生し、例えば、複数の永久磁石のうち１つの永久磁石だけが傾いて固定されてしまい、全ての永久磁石を一様に磁石挿入孔の外側又は内側に寄せることができなかった。
【０００８】
本発明はかかる事情に鑑みてなされたもので、カルプレートを用いて樹脂封止を行い、永久磁石と磁石挿入孔の隙間が狭い場合や、磁石挿入孔の幅方向中間位置に樹脂注入孔が形成されていない場合であっても、永久磁石を半径方向外側又は内側に寄せることが可能な積層鉄心の樹脂封止方法を提供することを目的とする。
【課題を解決するための手段】
【０００９】
前記目的に沿う本発明に係る積層鉄心の樹脂封止方法は、複数の鉄心片を積層して形成され、周囲に複数の磁石挿入孔を有する鉄心本体のそれぞれの前記磁石挿入孔に永久磁石を装入した後、前記鉄心本体を上型と下型とで積層方向に押圧し、前記上型又は前記下型に設けられた樹脂溜め部から、取外し可能なカルプレートに形成されたランナーを介して前記磁石挿入孔に樹脂を充填して、前記永久磁石を固定する積層鉄心の樹脂封止方法において、
前記ランナーの端部には、一つの前記磁石挿入孔につき複数の樹脂注入孔を有し、注入された前記樹脂によって、前記磁石挿入孔に配置された前記永久磁石を、前記磁石挿入孔の半径方向一側に寄せる。
【００１０】
また、本発明に係る積層鉄心の樹脂封止方法において、前記ランナーの終端部には前記カルプレートを上下に抜ける貫通路が設けられ、該貫通路と前記磁石挿入孔との共通部分で前記樹脂注入孔を形成することもできる。
【００１１】
本発明に係る積層鉄心の樹脂封止方法において、前記複数の樹脂注入孔は、断面長方形の前記永久磁石の長辺側壁面に沿って形成されているのが好ましい。
【００１２】
本発明に係る積層鉄心の樹脂封止方法において、前記複数の樹脂注入孔は前記磁石挿入孔の半径方向内側又は半径方向外側に形成されているのが好ましい。
【００１３】
本発明に係る積層鉄心の樹脂封止方法において、前記各樹脂注入孔の断面積は等しくなっているのがより好ましい。
【００１４】
そして、本発明の積層鉄心の樹脂封止方法において、前記各樹脂注入孔の断面積は異なっている場合であってもよい。
【発明の効果】
【００１５】
本発明に係る積層鉄心の樹脂封止方法においては、ランナーの端部に、一つの磁石挿入孔につき複数の樹脂注入孔を有しているので、永久磁石と磁石挿入孔の隙間が小さい場合や、樹脂注入孔が磁石挿入孔の幅方向中間位置に形成されない場合も、永久磁石の傾きを考慮してバランスさせた位置、即ち、傾きを発生させない位置に自在に樹脂注入を行うことができ、磁石挿入孔に配置された永久磁石を、磁石挿入孔の形状の影響を受けることなく、磁石挿入孔の半径方向一側（即ち、外側又は内側）に寄せることができる。
【００１６】
特に、本発明に係る積層鉄心の樹脂封止方法において、ランナーの終端部にカルプレートを上下に抜ける貫通路が設けられ、貫通路と磁石挿入孔との共通部分で樹脂注入孔を形成している場合には、樹脂の流れがよりスムーズになり、より確実に永久磁石の傾きを防止できる。
更に、カルプレートからカルを除去する場合に、貫通路の部分は樹脂が露出するので、カルを抜き易いという利点があると共に、樹脂注入孔の一部に鉄心本体を使用するので、カルプレートの摩耗が減少する。
また、貫通路の位置は自由に設定できるので、鉄心本体の形状に合わせてカルプレートの設計ができる。
【００１７】
本発明に係る積層鉄心の樹脂封止方法において、複数の樹脂注入孔が、断面長方形の永久磁石の長辺側壁面に沿って形成されている場合は、樹脂の流入路を確実に確保でき、永久磁石が傾いて磁石挿入孔に配置してあったとしても、確実に永久磁石を磁石挿入孔の壁面に押し付けることができる。
【００１８】
特に、本発明に係る積層鉄心の樹脂封止方法において、各樹脂注入孔の断面積が等しくなっている場合には、永久磁石により均等な力を与え、より均等に永久磁石を磁石挿入孔の側壁に押し付けることができる。
【図面の簡単な説明】
【００１９】
【図１】本発明の第１の実施の形態に係る積層鉄心の樹脂封止方法を適用する装置の概略図である。
【図２】本発明の第１の実施の形態に係る積層鉄心の樹脂封止方法の説明図である。
【図３】本発明の第２の実施の形態に係る積層鉄心の樹脂封止方法の説明図である。
【図４】本発明の第３の実施の形態に係る積層鉄心の樹脂封止方法の説明図である。
【図５】従来例に係る積層鉄心の製造方法を説明する平面図である。
【図６】（Ａ）、（Ｂ）は従来例に係る積層鉄心の製造方法を示す説明図である。
【発明を実施するための形態】
【００２０】
続いて、添付した図面を参照しながら、本発明を具体化した実施の形態について説明する。
図１、図２に示すように、本発明の第１の実施の形態に係る積層鉄心の樹脂封止方法に用いる樹脂封止装置１０は、対となる上型１１及び下型１２を有し、上型１１（又は下型１２、あるいは双方）には図示しない昇降手段を有し、下型１２の上に載置された鉄心本体１５をカルプレート（ダミープレート）１４を介して積層方向に押圧可能となっている。なお、鉄心本体１５を構成要素とする積層鉄心はこの実施の形態では回転子積層鉄心の例を挙げているが、固定子積層鉄心でも本発明は適用可能である。
【００２１】
また、この実施の形態では下型１２内に複数の樹脂溜め部１７が設けられ、それぞれ対応する磁石挿入孔１８に樹脂２９をカルプレート１４を介して注入している。なお、一つの樹脂溜め部１７からカルプレート１４に形成されているランナー１９、複数の樹脂注入孔３３、３４を介して１又は複数の磁石挿入孔１８に樹脂２９（熱硬化性樹脂）を注入できる。
【００２２】
積層鉄心を形成する鉄心本体１５は、磁性鋼板を打ち抜いて複数の所定形状の鉄心片２１を造り、これをかしめ積層して形成され、中央に軸孔２２を周囲に複数の磁石挿入孔１８を有し、各磁石挿入孔１８に予め１又は複数の永久磁石（未磁化）２４が収納されている。収納された永久磁石２４の上端は鉄心本体１５の上端面２５に対して少し（０．５〜２ｍｍ）の隙間２６を有している。
【００２３】
下型１２に形成されている樹脂溜め部１７には、下方から嵌入して昇降するプランジャ２８が設けられていると共に、下型１２には下型１２を加熱するヒータが設けられ、樹脂溜め部１７内に投入された樹脂２９を所定温度の溶解状態に保つようになっている。
【００２４】
取外し可能なカルプレート１４は例えば、厚み３〜１０ｍｍの硬質鋼板又はステンレス鋼板からなって、図２に示すように、樹脂溜め部１７に符合するザグリ孔３０が設けられ、このザグリ孔３０に基部が連続するランナー１９が設けられている。ランナー１９は下向き開放の断面溝形状となって、下流側に位置する磁石挿入孔１８に対して長手方向の中央位置に形成され、半径方向外側の終端部には、円周方向（即ち、半径方向に直交する方向）に拡幅した貫通路３２が形成されている。貫通路３２の幅は永久磁石２４の長辺幅の０．２〜０．８倍の範囲であるのが好ましい。
【００２５】
貫通路３２はカルプレート１４を上下に貫通し、ランナー１９の半径方向外側領域に接続され、ランナー１９の中心線ｍを中心にして円周方向に対称に形成されている。この貫通路３２の円周方向両端部は半径方向外側に伸びて、上方に位置する鉄心本体１５の磁石挿入孔１８に重複する領域を有し、この領域と同一大きさの樹脂注入孔３３、３４が形成されている。樹脂注入孔３３、３４は磁石挿入孔１８の軸心に対して左右均等に配置され、しかも磁石挿入孔１８の半径方向内側に形成されている。
【００２６】
従って、上型１１と下型１２との間にカルプレート１４を介して鉄心本体１５を配置し、上型１１を下降し、鉄心本体１５を上型１１と下型１２との間で挟持（押圧）する。そして、樹脂溜め部１７に予め入れられている樹脂２９をプランジャ２８を押し上げて押し出すと、ザグリ孔３０からランナー１９を介して貫通路３２に流れ込み、樹脂注入孔３３、３４から磁石挿入孔１８内に樹脂２９が流れる。
【００２７】
このとき、樹脂注入孔３３、３４は磁石挿入孔１８に対して円周方向対称に、かつ磁石挿入孔１８の半径方向内側に同一断面積で形成されているので、磁石挿入孔１８内の永久磁石２４が半径方向外側に均等に押され、その後硬化する。この場合、永久磁石２４に対して左右均等に樹脂圧が働くので、永久磁石２４が磁石挿入孔１８に対して傾いたりすることがない。
【００２８】
なお、永久磁石２４を磁石挿入孔１８の半径方向内側に寄せて配置する場合は、図２に二点鎖線で示すように、磁石挿入孔１８の半径方向外側に形成された貫通路３６を用い、逆溝状のランナー３７はザグリ孔３０から貫通路３６まで形成する。貫通路３６は磁石挿入孔１８に対して円周方向に対称となって、磁石挿入孔１８と貫通路３６のラップする部分が樹脂注入孔３９、４０となる。
【００２９】
続いて、図３を参照しながら、本発明の第２の実施の形態に係る積層鉄心の樹脂封止方法について説明する。第２の実施の形態に係る積層鉄心の樹脂封止方法においては、カルプレート４１に形成されたランナー１９（中心線をｍとする）に続く貫通路４２が磁石挿入孔１８に対して円周方向（半径に直交する方向）に非対称となっている。そして、貫通路４２と磁石挿入孔１８の共通部分で形成する樹脂注入孔４３〜４５があって、しかも、ランナー１９の中心線ｍを中心にして円周方向両側に配置された樹脂注入孔４３の面積と、樹脂注入孔４４、４５の合計面積が同一となっている。
【００３０】
樹脂注入孔４３の面積をＳ１、樹脂注入孔４４、４５の面積をＳ２、Ｓ３とし、中心線ｍからの距離をそれぞれｄ１、ｄ２、ｄ３とすると、Ｓ１×ｄ１≒Ｓ２×ｄ２＋Ｓ３×ｄ３とするのが好ましく、これによって、より均等に永久磁石２４が磁石挿入孔１８の半径方向外側に押される。
なお、永久磁石２４を磁石挿入孔１８の半径方向内側に寄せる場合は、貫通路を磁石挿入孔１８の半径方向外側領域に配置し、磁石挿入孔１８と貫通路の共通部分で樹脂注入孔を形成する。
【００３１】
図４には、本発明の第３の実施の形態に係る積層鉄心の樹脂封止方法を示すが、図に示すように、ザグリ孔３０から半径方向外側に向けて下部開口の溝状のランナー４７が、磁石挿入孔４８の内側端部近傍まで形成され、ランナー４７の端部には円周方向に広い貫通路４９が形成されている。貫通路４９は中心線ｍに対して非対称となって、一方は磁石挿入孔４８にラップする樹脂注入孔５０を形成している。貫通路４９の他方側の磁石挿入孔４８は上下方向に断面円弧状の溝部５２を有し、この溝部５２に貫通路４９の他方側がラップし、樹脂注入孔５３を形成している。
【００３２】
この実施の形態においては、貫通路４９の一側に形成される樹脂注入孔５０と貫通路４９の他方側に形成される樹脂注入孔５３の溝部５２の大きさは±８０％の範囲で略同一となって、中心線ｍからの距離も±８０％の範囲で略同一となっている。これによって、樹脂注入孔５０と樹脂注入孔５３から注入される樹脂に永久磁石２４は均等に押されて磁石挿入孔４８の側面に押圧される。
【００３３】
なお、磁石挿入孔の半径方向外側に樹脂注入孔を形成する場合は、ランナーを磁石挿入孔の半径方向外側まで延長し、円周方向に幅広の貫通路を形成し、その端部を磁石挿入孔に連通する。この場合、磁石挿入孔の形状は断面長方形で貫通路を磁石挿入孔にラップさせる場合と、磁石挿入孔の内部に凹部（縦溝）を設け、貫通路をこの凹部に連結する場合がある。
即ち、以上の実施の形態において、複数の樹脂注入孔は、断面長方形の永久磁石の長辺側壁面に沿って形成されている。
【００３４】
本発明は前記した実施の形態に限定されるものではなく、本発明の要旨を変更しない範囲でその構成を変更することもできる。例えば、ザグリ孔の位置を変え、ザグリ孔の基部からランナーが連続するのではなく、ザグリ孔内部からランナーが連続してもよい。
前記実施の形態においては、下型に樹脂溜め部を用いたが上型に樹脂溜め部を配置する場合も本発明は適用される。
また、一つの樹脂溜め部から複数の磁石挿入孔に樹脂を注入する場合も本発明は適用される。
更に、カルプレートを１枚の板材から構成する場合は当然として、２枚又は３枚以上の板材から構成することもできる。
【符号の説明】
【００３５】
１０：樹脂封止装置、１１：上型、１２：下型、１４：カルプレート、１５：鉄心本体、１７：樹脂溜め部、１８：磁石挿入孔、１９：ランナー、２１：鉄心片、２２：軸孔、２４：永久磁石、２５：上端面、２６：隙間、２８：プランジャ、２９：樹脂、３０：ザグリ孔、３２：貫通路、３３、３４：樹脂注入孔、３６：貫通路、３７：ランナー、３９、４０：樹脂注入孔、４１：カルプレート、４２：貫通路、４３〜４５：樹脂注入孔、４７：ランナー、４８：磁石挿入孔、４９：貫通路、５０：樹脂注入孔、５２：溝部、５３：樹脂注入孔
【図１】
2014082807.tif 000003
【図２】
2014082807.tif 000004
【図３】
2014082807.tif 000005
【図４】
2014082807.tif 000006
【図５】
2014082807.tif 000007
【図６】
2014082807.tif 000008